(57)【要約】  【課題】従前から提案されている暗号を付与するだけのものとは異なり、フォルダ又はフォルダ内の情報に対して制御を行う。  【解決手段】情報処理装置は、フォルダを識別する対象識別部２０と、前記フォルダの操作、又は前記フォルダ内の電子ファイル５１０もしくは下位フォルダ５２０の操作を制御するための制御情報を付与する制御情報付与部１０と、前記制御情報に基づく制御が適用されるユーザに関するユーザ情報を選択するユーザ選択部３０と、を有する。【選択図】図１
2019036236.tif 000002
【特許請求の範囲】
【請求項１】
フォルダを識別する対象識別部と、
前記フォルダの操作、又は前記フォルダ内の電子ファイルもしくは下位フォルダの操作を制御するための制御情報を付与する制御情報付与部と、
前記制御情報に基づく制御が適用されるユーザに関するユーザ情報を選択するユーザ選択部と、
を備えることを特徴とする情報処理装置。
【請求項２】
前記制御情報には、前記フォルダ内の前記電子ファイル又は前記下位フォルダが、当該フォルダから取り出すことができないように制御される情報が含まれることを特徴とする請求項１に記載の情報処理装置。
【請求項３】
前記制御情報には、前記フォルダ内において、新たな電子ファイルもしくは下位フォルダを作成できない、又は新たな電子ファイルもしくは下位フォルダを追加できないように制御される情報が含まれることを特徴とする請求項１又は２のいずれかに記載の情報処理装置。
【請求項４】
前記制御情報には、前記フォルダ内の前記電子ファイル又は前記下位フォルダが、その名称を変えることはできないように制御される情報が含まれることを特徴とする請求項１乃至３のいずれか１項に記載の情報処理装置。
【請求項５】
前記制御情報には、前記フォルダ内の前記電子ファイルもしくは前記下位フォルダを削除できない、又は前記フォルダ内の前記電子ファイルもしくは前記下位フォルダをコピーできないように制御される情報が含まれることを特徴とする請求項１乃至４のいずれか１項に記載の情報処理装置。
【請求項６】
前記制御情報には、前記フォルダ又は前記フォルダ内の前記電子ファイルもしくは前記下位フォルダに対する管理権限を、前記フォルダを受け取った者に移譲するように制御する情報が含まれることを特徴とする請求項１乃至５のいずれか１項に記載の情報処理装置。
【請求項７】
前記制御情報には、前記ユーザ選択部で選択されたユーザ情報に関連付けられた表示部のみで前記フォルダ内の前記電子ファイル又は前記下位フォルダを表示させるように制御する情報が含まれることを特徴とする請求項１乃至６のいずれか１項に記載の情報処理装置。
【請求項８】
前記制御情報付与部は、前記フォルダ内の前記電子ファイル又は前記下位フォルダに対して個別に制御情報を付与することを特徴とする請求項１乃至７のいずれか１項に記載の情報処理装置。
【請求項９】
前記制御情報付与部は、前記フォルダ内から取り出される電子ファイル又は前記下位フォルダに対して制御情報を付与することを特徴とする請求項１乃至８のいずれか１項に記載の情報処理装置。
【請求項１０】
前記制御情報付与部は、前記フォルダ内から取り出される前記電子ファイル又は前記下位フォルダに新たな制御情報を付与することを特徴とする請求項９に記載の情報処理装置。
【請求項１１】
前記フォルダ又は前記フォルダ内の前記電子ファイルもしくは前記下位フォルダを暗号化する暗号化鍵を作成する暗号化部と、
前記暗号化鍵によって暗号化された前記フォルダ又は前記フォルダ内の前記電子ファイルもしくは前記下位フォルダを復号化するための復号化鍵を作成する復号化部と、
をさらに備え、
前記フォルダ内に含まれる前記電子ファイルは共通の暗号化鍵によって暗号化され、
前記フォルダ内に含まれる前記暗号化鍵によって暗号化された前記電子ファイルは共通の復号化鍵によって復号化されることを特徴とする請求項１乃至１０のいずれか１項に記載の情報処理装置。
【請求項１２】
前記フォルダ内に実行可能ファイルが含まれる場合又は前記フォルダ内の前記電子ファイルがマクロ情報を含む場合に、前記実行可能ファイル又は前記マクロ情報を含む前記電子ファイルに対して前記制御情報付与部が前記制御情報を付与するか否かが選択可能となることを特徴とする請求項１乃至１１のいずれか１項に記載の情報処理装置。
【請求項１３】
前記フォルダはアーカイブされたフォルダであることを特徴とする請求項１乃至１２のいずれか１項に記載の情報処理装置。
【請求項１４】
請求項１乃至１３のいずれか１項に記載の情報処理装置と、
前記情報処理装置と通信可能な中央処理装置と、
を備え、
前記中央処理装置は、前記情報処理装置から入力されるユーザ識別情報を用いてユーザの識別を行うことを特徴とする情報処理システム。
【請求項１５】
情報処理装置にインストールするプログラムであって、
プログラムをインストールされた情報処理装置は、
フォルダを識別することと、
前記フォルダの操作、又は前記フォルダ内の電子ファイルもしくは下位フォルダの操作を制御するための制御情報を付与することと、
前記制御情報に基づく制御が適用されるユーザに関するユーザ情報を選択することと、
を実行可能となることを特徴とするプログラム。
【請求項１６】
情報処理装置にインストールするプログラムを記録した記録媒体であって、
プログラムをインストールされた情報処理装置は、
フォルダを識別することと、
前記フォルダの操作、又は前記フォルダ内の電子ファイルもしくは下位フォルダの操作を制御するための制御情報を付与することと、
前記制御情報に基づく制御が適用されるユーザに関するユーザ情報を選択することと、
を実行可能となることを特徴とする記録媒体。
【請求項１７】
情報処理装置によって実行される情報処理方法であって、
フォルダを識別することと、
前記フォルダの操作、又は前記フォルダ内の電子ファイルもしくは下位フォルダの操作を制御するための制御情報を付与することと、
前記制御情報に基づく制御が適用されるユーザに関するユーザ情報を選択することと、
を備えたことを特徴とする情報処理方法。
【発明の詳細な説明】
【技術分野】
【０００１】
本発明は、フォルダに対して制御情報を付与する情報処理装置、情報処理システム、プログラム、記録媒体及び情報処理方法に関する。
【背景技術】
【０００２】
従来からセキュリティを確保するために電子ファイルやフォルダに暗号を付与することは知られている。しかしながら、電子ファイルやフォルダに暗号を付与した場合には、電子ファイルやフォルダを閲覧することに単に制限がかけられるだけである。
【０００３】
特許文献１では、電子メールで送信する際に着目し、共有フォルダに送信したい電子ファイルをコピーすることで当該フォルダに設定されたメール送信先へ当該電子ファイルを添付ファイルとする電子メールを送信することが提案されている。しかしながら、特許文献１でも電子ファイル等を暗号化したり誤送信を防止したりすることが提案されているだけである。
【先行技術文献】
【特許文献】
【０００４】
【特許文献１】特開２０１２−１３３４２７号公報
【発明の概要】
【発明が解決しようとする課題】
【０００５】
本発明は、フォルダ又はフォルダ内の情報に対して制御を行うものであり、従前から提案されているフォルダを暗号化して閲覧を制限するだけのものとは異なる情報処理装置、情報処理システム、プログラム、記録媒体及び情報処理方法を提供する。
【課題を解決するための手段】
【０００６】
本発明による情報処理装置は、
フォルダを識別する対象識別部と、
前記フォルダの操作、又は前記フォルダ内の電子ファイルもしくは下位フォルダの操作を制御するための制御情報を付与する制御情報付与部と、
前記制御情報に基づく制御が適用されるユーザに関するユーザ情報を選択するユーザ選択部と、
を備えてもよい。
【０００７】
本発明による情報処理装置において、
前記制御情報には、前記フォルダ内の前記電子ファイル又は前記下位フォルダが、当該フォルダから取り出すことができないように制御される情報が含まれてもよい。
【０００８】
本発明による情報処理装置において、
前記制御情報には、前記フォルダ内において、新たな電子ファイルもしくは下位フォルダを作成できない、又は新たな電子ファイルもしくは下位フォルダを追加できないように制御される情報が含まれてもよい。
【０００９】
本発明による情報処理装置において、
前記制御情報には、前記フォルダ内の前記電子ファイル又は前記下位フォルダが、その名称を変えることはできないように制御される情報が含まれてもよい。
【００１０】
本発明による情報処理装置において、
前記制御情報には、前記フォルダ内の前記電子ファイルもしくは前記下位フォルダを削除できない、又は前記フォルダ内の前記電子ファイルもしくは前記下位フォルダをコピーできないように制御される情報が含まれてもよい。
【００１１】
本発明による情報処理装置において、
前記制御情報には、前記フォルダ又は前記フォルダ内の前記電子ファイルもしくは前記下位フォルダに対する管理権限を、前記フォルダを受け取った者に移譲するように制御する情報が含まれてもよい。
【００１２】
本発明による情報処理装置において、
前記制御情報には、前記ユーザ選択部で選択されたユーザ情報に関連付けられた表示部のみで前記フォルダ内の前記電子ファイル又は前記下位フォルダを表示させるように制御する情報が含まれてもよい。
【００１３】
本発明による情報処理装置において、
前記制御情報付与部は、前記フォルダ内の前記電子ファイル又は前記下位フォルダに対して個別に制御情報を付与してもよい。
【００１４】
本発明による情報処理装置において、
前記制御情報付与部は、前記フォルダ内から取り出される電子ファイル又は前記下位フォルダに対して制御情報を付与してもよい。
【００１５】
本発明による情報処理装置において、
前記制御情報付与部は、前記フォルダ内から取り出される前記電子ファイル又は前記下位フォルダに新たな制御情報を付与してもよい。
【００１６】
本発明による情報処理装置は、
前記フォルダ又は前記フォルダ内の前記電子ファイルもしくは前記下位フォルダを暗号化する暗号化鍵を作成する暗号化部と、
前記暗号化鍵によって暗号化された前記フォルダ又は前記フォルダ内の前記電子ファイルもしくは前記下位フォルダを復号化するための復号化鍵を作成する復号化部と、
をさらに備え、
前記フォルダ内に含まれる前記電子ファイルは共通の暗号化鍵によって暗号化され、
前記フォルダ内に含まれる前記暗号化鍵によって暗号化された前記電子ファイルは共通の復号化鍵によって復号化されてもよい。
【００１７】
本発明による情報処理装置において、
前記フォルダ内に実行可能ファイルが含まれる場合又は前記フォルダ内の前記電子ファイルがマクロ情報を含む場合に、前記実行可能ファイル又は前記マクロ情報を含む前記電子ファイルに対して前記制御情報付与部が前記制御情報を付与するか否かが選択可能となってもよい。
【００１８】
本発明による情報処理装置において、
前記フォルダはアーカイブされたフォルダであってもよい。
【００１９】
本発明による情報処理システムは、
前述した情報処理装置と、
前記情報処理装置と通信可能な中央処理装置と、
を備え、
前記中央処理装置は、前記情報処理装置から入力されるユーザ識別情報を用いてユーザの識別を行ってもよい。
【００２０】
本発明によるプログラムは、
情報処理装置にインストールするプログラムであって、
プログラムをインストールされた情報処理装置は、
フォルダを識別することと、
前記フォルダの操作、又は前記フォルダ内の電子ファイルもしくは下位フォルダの操作を制御するための制御情報を付与することと、
前記制御情報に基づく制御が適用されるユーザに関するユーザ情報を選択することと、
を実行可能となってもよい。
【００２１】
本発明による記録媒体は、
情報処理装置にインストールするプログラムを記録した記録媒体であって、
プログラムをインストールされた情報処理装置は、
フォルダを識別することと、
前記フォルダの操作、又は前記フォルダ内の電子ファイルもしくは下位フォルダの操作を制御するための制御情報を付与することと、
前記制御情報に基づく制御が適用されるユーザに関するユーザ情報を選択することと、
を実行可能となってもよい。
【００２２】
本発明による情報処理方法は、
情報処理装置によって実行される情報処理方法であって、
フォルダを識別することと、
前記フォルダの操作、又は前記フォルダ内の電子ファイルもしくは下位フォルダの操作を制御するための制御情報を付与することと、
前記制御情報に基づく制御が適用されるユーザに関するユーザ情報を選択することと、
を備えてもよい。
【発明の効果】
【００２３】
本発明において、対象となるフォルダの操作又は当該フォルダ内の電子ファイルもしくは下位フォルダの操作を制御するための制御情報と当該制御情報に対応するユーザ情報が付与される態様を採用した場合には、フォルダに対する操作、及びフォルダ内に含まれる電子ファイル、下位フォルダ等の情報に対する操作について、ユーザ毎に一括で制御情報を付与できる。
【図面の簡単な説明】
【００２４】
【図１】本発明の第１の実施の形態による情報処理システムの構成図。
【図２】本発明の第１の実施の形態で用いられうる制御対象フォルダと、制御対象フォルダ内の電子ファイル及び下位フォルダを示した図。
【図３】本発明の第１の実施の形態で用いられうる暗号化用フォルダと、制御対象フォルダと制御対象フォルダ内の電子ファイル及び下位フォルダを示した図。
【図４】本発明の第１の実施の形態による情報処理装置による情報の流れの一例を示した図。
【図５】本発明の第１の実施の形態で用いられる制御情報の一例を示した図。
【図６】本発明の第３の実施の形態による情報処理装置による情報の流れの一例を示した図。
【図７】本発明の第４の実施の形態による情報処理システムの構成図。
【発明を実施するための形態】
【００２５】
第１の実施の形態
《構成》
以下、本発明に係る情報処理装置、情報処理システム、プログラム、記録媒体及び情報処理方法の実施の形態について、図面を参照して説明する。本実施の形態において「又は」と「もしくは」は「及び」と「並びに」の意味も含んでいる。つまり、例えば、本実施の形態において「Ａ又はＢ」とは、「Ａ、Ｂ並びにＡ及びＢ」のいずれかを意味している。
【００２６】
本実施の形態の情報処理装置は、例えばユーザプログラム等のプログラムをインストールすることで生成される。このプログラムは電子メールで配信されてもよいし、所定のＵＲＬにアクセスしたうえでログインすることで入手できてもよいし、記録媒体に記録されてもよい。本実施の形態によるプログラムは以下に示す情報処理装置を生成するために利用され、本実施の形態による記録媒体は当該プログラムを記録するために利用される。また、本実施の形態の情報処理方法は上記プログラムがインストールされた情報処理装置によって実施される。情報処理装置は、情報処理装置にインストールされたアプリケーションを実行することによって、本実施の形態の情報処理方法を実行してもよい。
【００２７】
本実施の形態の情報処理装置は一台の装置から構成されてもよいが、複数の装置から構成されてもよい。情報処理装置が複数の装置から構成される場合には、情報処理装置を構成する装置は異なる部屋又は異なる場所に設置されてもよく、情報処理装置の一部と情報処理装置の残部が遠隔地に配置されてもよい。本実施の形態では「情報処理装置」及び「情報処理システム」という文言を用いて説明するが、確実に２つ以上の装置に分かれている場合には「情報処理システム」という文言を用い、単独の装置から構成されることもあるし、複数の装置から構成されることもある場合には「情報処理装置」という文言を用いる。
【００２８】
情報処理装置は例えばパソコン等のユーザ端末１００であり、本実施の形態では、一例として、情報処理装置がユーザ端末１００である態様を用いて以下説明する。
【００２９】
図１に示すように、ユーザ端末１００は、フォルダを識別する対象識別部２０と、パソコン等の操作部９０からの入力を受けて、フォルダの操作、又はフォルダ内の電子ファイル５１０もしくは下位フォルダ５２０（本実施の形態では、後述する制御対象フォルダ５００内のフォルダを「下位フォルダ５２０」とも呼ぶ。）の操作を制御するための制御情報を付与する制御情報付与部１０と、制御情報に基づく制御が適用されるユーザに関する電子メールアドレスやユーザ端末のＩＤ等のユーザ情報を選択するユーザ選択部３０と、を有してもよい。
【００３０】
対象識別部２０は、制御情報付与部１０で制御情報が付与されるフォルダや電子ファイル等を識別するために用いられる。ユーザ選択部３０は、制御情報付与部１０の制御情報で利用されるユーザに関するユーザ情報を選択するために用いられる。ユーザ選択部３０によるユーザの選択は制御情報の内容と関連付けられてもよく、ユーザ選択部３０によって、第一制御情報が適用される第一ユーザ情報を選択し、第二制御情報が適用される第二ユーザ情報を選択し、・・・、第ｎ制御情報が適用される第ｎユーザ情報（「ｎ」は３以上の整数である。）を選択してもよい。一例としては、第一制御情報が制御対象フォルダ５００を作成したユーザの所属する部門の社員に適用され、第一制御情報よりも制限の厳しい第二制御情報が制御対象フォルダ５００を作成したユーザの所属する会社の社員であって当該ユーザの所属する部門以外の社員に適用され、第二制御情報よりもさらに制限の厳しい第三制御情報が制御対象フォルダ５００を作成したユーザの所属する会社の社員以外の者に適用されてもよい。第一制御情報としては、例えば制御対象フォルダ５００内の電子ファイル５１０等の閲覧、編集及び印刷が可能となる制御情報を挙げることができ、第二制御情報としては、例えば制御対象フォルダ５００内の電子ファイル５１０等の閲覧のみが可能となる制御情報を挙げることができ、第三制御情報としては、例えば制御対象フォルダ５００内の電子ファイル５１０等の閲覧もできないような制御情報を挙げることができる。
【００３１】
図５でも、第一制御情報よりも第二制御情報の方が制限が厳しく、第二制御情報よりも第三制御情報の方が制限が厳しい態様が示されている。但し、図５では、前述した態様とは異なる内容の第一制御情報、第二制御情報及び第三制御情報が設定されている態様が示されている。図５における「＊＊＊」は任意の情報が入ることを意味し、「not」は、それ以降に続く情報が除外されることを意味している。つまり、図５における第二ユーザ情報では、「@example.com」というメールアドレスを含むものの、「abc@example.com」、「bcd@example.com」及び「cde@example.com」というメールアドレスを有するものが除外されることを意味し、第三ユーザ情報では「@example.com」というメールアドレスを有するものが除外されることを意味している。
【００３２】
第一制御情報、第二制御情報、・・・、第ｎ制御情報等の内容は予め設定されており、ユーザがカテゴリを選択することで適用される制御情報が適宜変更されるようにしてもよい。例えば、第二制御情報として「編集者」というカテゴリが設定されている場合には、作成ユーザ（制御対象フォルダ５００を作成するユーザを以下では「作成ユーザ」ともいう。）が受領ユーザ（制御対象フォルダ５００を受け取るユーザを以下では「受領ユーザ」ともいう。）に対して「編集者」を選択することで、当該受領ユーザには制御対象フォルダ５００内の電子ファイル５１０の編集、コピー、印刷等が許可されることになる。また、第ｎ制御情報として「ビューア」というカテゴリが設定されている場合には、作成ユーザが受領ユーザに対して「ビューア」を選択することで、当該受領ユーザには制御対象フォルダ５００内の電子ファイル５１０及び下位フォルダ５２０の閲覧だけが許可されることになる。
【００３３】
対象識別部２０、制御情報付与部１０及びユーザ選択部３０はユーザ端末１００の制御部５０に含まれてもよい（図１参照）。
【００３４】
図１に示すように、ユーザ端末１００は、様々な情報を記憶する装置記憶部６０と、装置記憶部６０に記憶された情報等を表示する装置表示部８０とを有してもよい。
【００３５】
以下では、フォルダに対する暗号化等のフォルダへ制御情報を付与する態様を中心に説明するが、本実施の形態のユーザ端末１００は、フォルダに入っていない電子ファイルについても同様の処理を行うことができる。つまり、対象識別部２０はフォルダに入っていない電子ファイルも識別することができ、制御情報付与部１０はフォルダに入っていない電子ファイルに対して制御情報を付与することができる。
【００３６】
制御情報付与部１０で制御情報が付与されたフォルダ（以下「制御対象フォルダ５００」ともいう。）内の１つもしくは複数の電子ファイル５１０又は当該制御対象フォルダ５００内の１つもしくは複数の下位フォルダ５２０（図２参照）に対して、制御情報が付与されることで、様々な制限が付与されてもよい。例えば、制御対象フォルダ５００内の電子ファイル５１０又は制御対象フォルダ５００内の下位フォルダ５２０は、制御対象フォルダ５００から取り出すことができないように制御されてもよい。制御対象フォルダ５００内の電子ファイル５１０又は制御対象フォルダ５００内の下位フォルダ５２０は、その名称を変えることはできないように制御されてもよい。制御対象フォルダ５００内の電子ファイル５１０又は制御対象フォルダ５００内の下位フォルダ５２０は削除できないように制御されてもよい。
【００３７】
制御情報付与部１０は、既にパスワード等によって保護されているフォルダ（下位フォルダ５２０）に対して制御情報を付与することで制御できるようになってもよい。
【００３８】
また、制御情報付与部１０で制御情報が付与されることで、制御対象フォルダ５００自体の制御もできるようになってもよい。例えば、制御対象フォルダ５００内では、新たな電子ファイル５１０又は下位フォルダ５２０を作成できないようになってもよい。また、制御対象フォルダ５００内に、新たな電子ファイル５１０又は下位フォルダ５２０を追加できないように制御されてもよい。制御対象フォルダ５００内の電子ファイル５１０又は下位フォルダ５２０は移動（位置変更）できないように制御されてもよい。なお、本実施の形態の「追加」の概念には、既存の電子ファイル５１０やフォルダ（下位フォルダ５２０）を制御対象フォルダ５００内に追加することが含まれている。
【００３９】
制御対象フォルダ５００内の電子ファイル５１０又は下位フォルダ５２０に対する制御や制御対象フォルダ５００自体への制御は、制御用アプリケーション５９０で制御したいフォルダを開けることで実施されてもよい。このように制御用アプリケーション５９０で制御したいフォルダを開ける際には、制御したいフォルダを暗号化アプリケーションのような制御用アプリケーション５９０のアイコンにドラック＆ドロップするようにしてもよい（図２参照）。制御用アプリケーション５９０で制御したいフォルダが開かれると、当該フォルダに対して施したい制御内容及び当該制御内容が適用される受領ユーザ（グループを含む。）が装置表示部８０を介して作成ユーザに問われることになる。作成ユーザは、当該フォルダに対して行いたい制御内容と、当該制御内容が適用されるユーザを選択することで、選択された制御情報が当該フォルダに対して付与されることになる（図５参照）。なお、後述するようにフォルダ内の電子ファイル５１０又は下位フォルダ５２０に対して個別に制御情報を付与したい場合には、個別の電子ファイル５１０又は下位フォルダ５２０を選択して、当該選択された個別の電子ファイル５１０又は下位フォルダ５２０に対して行いたい制御内容と、当該制御内容が適用される受領ユーザを選択することで、制御情報が付与されてもよい。
【００４０】
図１に示すように、ユーザ端末１００は、制御対象フォルダ５００又は制御対象フォルダ５００内の電子ファイル５１０もしくは下位フォルダ５２０を暗号化する暗号化鍵を作成する暗号化部４０と、暗号化鍵によって暗号化された制御対象フォルダ５００又は制御対象フォルダ５００内の電子ファイル５１０もしくは下位フォルダ５２０を復号化するための復号化鍵を作成する復号化部４５と、を有してもよい。
【００４１】
制御情報及び制御情報に対応するユーザ情報を含む情報が権限情報であり（図４参照）、この権限情報が復号化鍵とともに、後述する中央処理装置２００に送信されることになる。
【００４２】
フォルダへの制御情報の付与は暗号化アプリケーションのような制御用アプリケーション５９０のアイコンにドラック＆ドロップするだけではなく、暗号化用フォルダ５５０内に制御情報を付与したいフォルダを入れるようにしてもよい（図３参照）。暗号化用フォルダ５５０を共有フォルダ内に入れておく態様を採用した場合には、当該暗号化用フォルダ５５０内に作成ユーザがフォルダを入れておくことで、当該フォルダが暗号化鍵で暗号化されることになる。そして、各受領ユーザは、中央処理装置２００から復号化鍵を受け取ることで暗号化されたフォルダを復号化することができるようになる。復号化されたフォルダに対しては、制御情報が付与されていることから、当該制御情報に基づいて、各ユーザはフォルダ（制御対象フォルダ５００）内の下位フォルダ５２０や電子ファイル５１０を閲覧したり、編集したりすることができるようになる。なお、暗号化用フォルダ５５０に複数のフォルダが入れられた場合には、各フォルダに対して同一の暗号化鍵と暗号化鍵に対応した復号化鍵とが作成されてもよいし、各フォルダに対して異なる暗号化鍵と当該暗号化鍵に対応した復号化鍵とが作成されることになってもよい。
【００４３】
制御対象フォルダ５００内の電子ファイル５１０は制御用アプリケーション５９０の制御下で閲覧、変更、印刷等の操作ができるようになってもよい。つまり、制御用アプリケーション５９０がインストールされていないユーザ端末１００では、制御対象フォルダ５００内の情報を見ることができなくてもよいし、制御対象フォルダ５００の存在そのものを認識できないようにしてもよい。制御対象フォルダ５００内の情報を見るだけであれば、編集等はできないビューア専用の制御用アプリケーションであってもよい。
【００４４】
制御情報付与部１０は、制御対象フォルダ５００内の電子ファイル５１０、下位フォルダ５２０等の情報について、閲覧可能な期限を設定できるような制御情報を付与してもよいし、閲覧できる回数を制限する制御情報を付与してもよい。
【００４５】
制御情報付与部１０は、許可されていない者（許可されていない端末）から、制御対象フォルダ５００内の電子ファイル５１０、下位フォルダ５２０等に対してアクセスがされた場合には、制御対象フォルダ５００内の情報の全部又はアクセスされた電子ファイル５１０又は下位フォルダ５２０を削除するような制御情報を付与してもよい。
【００４６】
制御情報付与部１０は、制御対象フォルダ５００内の電子ファイル５１０、下位フォルダ５２０等の情報について、上書き保存できないような制御情報を付与してもよい。制御情報付与部１０は、制御対象フォルダ５００内の情報について、コピーできる回数を制限したり、コピーできないような制御情報を付与したりしてもよい。なお、本実施の形態における「コピー」の概念には電子ファイル５１０自体のコピーを行うことと、電子ファイル５１０内の情報の一部のコピーを行うことが含まれている。
【００４７】
制御情報付与部１０は、制御対象フォルダ５００内の電子ファイル５１０、下位フォルダ５２０等の情報について、キャプチャ又は印刷できる回数を制限したり、キャプチャ又は印刷できないようにしたりする制御情報を付与してもよい。制御情報付与部１０によって、印刷する際にはユーザ名、開封日時、印刷したユーザ端末１００等が透かし印刷されるような制御情報が付与できるようになってもよい。また、制御対象フォルダ５００内の電子ファイル５１０を装置表示部８０等の表示部で表示させる際にも、ユーザ名、開封日時、印刷したユーザ端末１００等が透かし表示されるような制御情報が制御情報付与部１０によって付与されてもよい。
【００４８】
制御対象フォルダ５００への操作履歴及び制御対象フォルダ５００内の電子ファイル５１０、下位フォルダ５２０等の情報への操作履歴を装置記憶部６０又は後述する中央記憶部２６０によって記録するようにしてもよく、このように記録された結果はLEEF形式、CEF形式等のあらゆる形式で出力できるようになってもよい。記録できる操作履歴としては様々なものを挙げることができ、例えば、制御対象フォルダ５００の操作内容、電子ファイル５１０もしくは下位フォルダ５２０の閲覧、電子ファイル５１０もしくは下位フォルダ５２０の編集、電子ファイル５１０の印刷、電子ファイル５１０の新規作成、電子ファイル５１０のコピー又はキャプチャ作成等を挙げることができる。また、操作履歴には、操作が行われた日時が含まれてもよいし、操作を行ったユーザが含まれてもよい。操作履歴は、日時別又はユーザ別にソートできるようになってもよい。
【００４９】
図１に示すように、多数のユーザ端末１００等の情報処理装置と通信可能となっている中央処理装置２００が設けられてもよい。中央処理装置２００は、各ユーザ端末１００等の情報処理装置における操作履歴を含む様々な情報を記録する中央記憶部２６０と、中央処理装置２００を制御する中央制御部２５０とを有してもよい。
【００５０】
暗号化鍵は、制御情報及び制御情報に対応するユーザ情報とともに中央処理装置２００の中央記憶部２６０で記憶されてもよい（図４参照）。また、制御対象フォルダ５００を受け取った受領ユーザが中央処理装置２００にアクセスすることで、ユーザ端末情報又は電子メールのアドレス等のユーザＩＤとユーザ情報とが照合されることによって復号化鍵が当該ユーザ端末１００に対して付与され、当該復号化鍵を用いて制御対象フォルダ５００が復号されてもよい。
【００５１】
中央処理装置２００は一台の装置から構成されてもよいが、複数の装置から構成されてもよい。中央処理装置２００が複数の装置から構成される場合には、中央処理装置２００を構成する装置は異なる部屋又は異なる場所に設置されてもよく、中央処理装置２００の一部と中央処理装置２００の残部が遠隔地に配置されてもよい。
【００５２】
制御対象フォルダ５００内のあらゆる情報が中央処理装置２００で管理可能となってもよい。制御対象フォルダ５００内での操作を行う際には、中央処理装置２００で管理されている情報に基づいて操作可能となってもよい。
【００５３】
制御対象フォルダ５００内での操作を行う際に中央処理装置２００で管理されている情報に基づいて操作可能となる態様を採用した場合には、制御対象フォルダ５００を遠隔で管理又は操作できるようになってもよい。例えば電子メールで第三者に制御対象フォルダ５００を送った場合でも、制御対象フォルダ５００への制御、及び制御対象フォルダ５００内の電子ファイル５１０及び下位フォルダ５２０への制御を中央制御装置２００で行うことができてもよい。一例としては、電子メールで送信した制御対象フォルダ５００が正規の対象者（受領ユーザ）に届いたことを作成ユーザが電話等で確認してから制御情報の内容を変更して、具体的には閲覧不可から閲覧可に変更して、制御対象フォルダ５００内の情報を閲覧できるようにしてもよい。また、制御対象フォルダ５００が予期せぬ第三者に渡ってしまった場合には、当該制御対象フォルダ５００又は制御対象フォルダ５００内の情報を削除（リモート削除）するように制御してもよい。また、このようなリモート削除は、第三者が中央処理装置２００にアクセスする際に行われてもよい。つまり、第三者が制御対象フォルダ５００のフォルダＩＤを用いて中央処理装置２００にアクセスしたとしても、中央処理装置２００の中央記憶部２６０で記憶されているフォルダＩＤに紐づけられたユーザ情報と、アクセスを試みたユーザ端末情報又は電子メールのアドレス等のユーザＩＤが合致しないことをトリガーとして、第三者のユーザ端末１００内の制御対象フォルダ５００又は制御対象フォルダ５００内の情報を削除（リモート削除）するようにしてもよい（図４参照）。なお、中央処理装置２００とユーザ端末１００との間の通信はサーバ（図示せず）を介して行われてもよい。
【００５４】
ユーザ端末１００における操作を行う際には必ずしもオンラインとなっている必要はなく、オフラインとなっている状態で操作可能となっていてもよい。オフライン環境でのユーザ情報の選択・変更、制御情報の選択・変更、電子ファイル５１０の編集等の様々な操作は、オンライン状態に戻った時に中央処理装置２００で受け付けられて、中央制御部２５０で適宜処理されてもよい。なお、暗号化部４０が暗号化鍵を有している態様では、オフライン状態でもフォルダに制御情報を付与したうえで暗号化鍵によって暗号化することができるし、復号化部４５が暗号化鍵に対応した復号化鍵を作成することもできる。また、受領ユーザのユーザ端末１００が復号化鍵を保持し続けている場合には、オフライン状態でも制御対象フォルダ５００内の電子ファイル５１０等を復号化して閲覧等することができる。なお、このようなオフラインでの操作が可能となるかどうかも制御情報として付与されてもよい。つまり、制御対象フォルダ５００に対する制御情報としてオフライン利用が許可されたユーザ端末１００のみでオフラインでの制御対象フォルダ５００内の電子ファイル５１０等の閲覧、編集等が可能となってもよい。
【００５５】
制御情報付与部１０は、制御対象フォルダ５００内の電子ファイル５１０又は下位フォルダ５２０に対して個別に制御情報を付与可能となってもよい。制御情報としては、本願の明細書で記載されているようなあらゆる情報を設定できるようになってもよい。制御対象フォルダ５００に上位制御情報が付与され、制御対象フォルダ５００内の電子ファイル５１０又は下位フォルダ５２０に対して下位制御情報が付与された場合には、下位制御情報が上位制御情報よりも優先して適用されてもよい。このような態様を採用することで、個別の設定を優先できる点で有益である。但し、これとは逆に、上位制御情報が下位制御情報よりも優先して適用されてもよい。これらの優先度の選択は、操作部９０からの入力で行われてもよいし、デフォルトで決定されていてもよい。
【００５６】
制御情報付与部１０は、ユーザ選択部３０で選択されたユーザ情報に関連付けられた装置表示部８０等の表示部のみで制御対象フォルダ５００内の電子ファイル５１０を表示させるようにしてもよい。この態様を採用した場合には、同じ制御対象フォルダ５００を受け取った場合であっても、開く端末等に応じて表示される情報が異なるように制御できるようになる。なお、制御対象フォルダ５００内の電子ファイル５１０、下位フォルダ５２０等の情報の個々に対して、表示させるかどうかを設定できるようになってもよい。
【００５７】
制御情報付与部１０は、制御対象フォルダ５００内から取り出される電子ファイル５１０又は下位フォルダ５２０に対して制御情報を付与するようにしてもよい。例えば、制御対象フォルダ５００を受け取った受領ユーザが制御対象フォルダ５００内から電子ファイル５１０又は下位フォルダ５２０を取り出す場合には、制御対象フォルダ５００に対する制御情報が取り出される電子ファイル５１０又は下位フォルダ５２０に継承されてもよい。
【００５８】
制御情報付与部１０は、制御対象フォルダ５００内から電子ファイル５１０又は下位フォルダ５２０を取り出す際に操作部９０による制御情報の入力を許可し、操作部９０から入力された制御情報を制御対象フォルダ５００内から取り出される電子ファイル５１０に付与するような制御情報を付与してもよい。この場合には、例えば、制御対象フォルダ５００を受け取った受領ユーザが制御対象フォルダ５００内から電子ファイル５１０又は下位フォルダ５２０を取り出す際に、新たに制御情報と当該制御情報が適用されるユーザとを選択できるようになる。この際に選択できる制御情報はあらゆる態様を選択できてもよいが、受領ユーザが行うことができる処理に限定されてもよい。例えば、制御対象フォルダ５００を受け取った受領ユーザが制御対象フォルダ５００内の情報の閲覧、印刷及びコピーだけが可能となっている場合には、当該受領ユーザは、制御対象フォルダ５００内から取り出される電子ファイル５１０又は下位フォルダ５２０に対して、閲覧、印刷及びコピーのいずれか１つ以上を可能とする制御情報を付与でき、それ以外の制御情報を選択できないようにしてもよい。
【００５９】
制御対象フォルダ５００内の電子ファイル５１０や下位フォルダ５２０といった情報に暗号化するための暗号化鍵及びこのように暗号化された電子ファイル５１０や下位フォルダ５２０を復号するための復号化鍵として、共通した暗号化鍵及び復号化鍵が用いられてもよい。共通した暗号化鍵及び復号化鍵は１つずつであってもよい。
【００６０】
制御対象フォルダ５００内に実行可能ファイルが含まれる場合又は制御対象フォルダ５００内の電子ファイル５１０がマクロ情報を含む場合には、制御情報付与部１０が実行可能ファイル又はマクロ情報を含む電子ファイル５１０に対して制御情報を付与するか選択可能となってもよい。この場合には、ユーザ端末１００の装置表示部８０に、フォルダ内に含まれている実行可能ファイル又はマクロ情報を含む電子ファイルに対して制御情報を付与するかどうかが表示され、操作部９０によってフォルダ内に含まれている実行可能ファイル又はマクロ情報を含む電子ファイルに対して制御情報を付与するかどうかが選択されてもよい。なお、実行可能ファイルとしては、例えば拡張子として「.exe」、「.dll」、「.bin」等がつけられているものを挙げることができる。
【００６１】
制御対象フォルダ５００内に実行可能ファイルを含む場合又は制御対象フォルダ５００内の電子ファイル５１０がマクロ情報を含む場合には、制御情報付与部１０は、予め登録された情報に基づいて、実行可能ファイル又はマクロ情報を含む電子ファイル５１０に対する制御を行ってもよい。例えば、制御情報付与部１０が実行可能ファイルもしくはマクロ情報を含む電子ファイルを開くことができないような制御情報をデフォルトで付与してもよい。また、制御情報付与部１０は、開くことができる実行可能ファイルもしくはマクロ情報を含む電子ファイルに関する情報（ホワイト情報）又は開くことができない実行可能ファイルもしくはマクロ情報を含む電子ファイルに関する情報（ブラック情報）を制御情報として有しており、これらの情報に基づいて、制御対象フォルダ５００内の実行可能ファイル又は制御対象フォルダ５００内のマクロ情報を含む電子ファイル５１０に対して、制御情報を付与してもよい。これらの態様を採用した場合には、実行可能ファイルやマクロ情報を含む電子ファイル５１０が制御対象フォルダ５００に含まれていたとしても、予め定まった制御内容によって制御することができる点で有益である。
【００６２】
また、制御情報付与部１０は、予め登録されている情報に合致しない、つまりホワイト情報にもブラック情報にも該当しない実行可能ファイル又はマクロ情報を含む電子ファイル５１０に対しては、どのような制御情報を付与するかユーザ（管理者を含む。）に問い合わせるようにしてもよい。この場合には、管理者を含むユーザからの入力を受けて、当該実行可能ファイル又はマクロ情報を含む電子ファイル５１０に対して制御情報が付与されてもよい。このように入力された情報は装置記憶部６０や中央記憶部２６０でホワイト情報又はブラック情報としいて記憶され、それ以降において制御対象フォルダ５００を作成する際に利用されてもよい。
【００６３】
《方法》
本実施の形態の情報処理方法では、前述した「構成」についてのあらゆる態様を利用することができるが、以下では、情報処理方法の一例を説明する。なお、「方法」で述べるあらゆる構成は、本実施の形態の構成として利用することができる。
【００６４】
作成ユーザが制御したいフォルダを暗号化アプリケーションのような制御用アプリケーション５９０によって開く。この際、制御したいフォルダを制御用アプリケーション５９０のアイコンにドラック＆ドロップするようにしてもよい（図２参照）。このように制御したいフォルダが制御用アプリケーション５９０によって開かれると、対象となるフォルダが対象識別部２０で識別されることになる。このように対象識別部２０でフォルダが識別されると、対象識別部２０で当該フォルダに対するフォルダＩＤが作成されることになる。
【００６５】
対象となるフォルダに対してフォルダＩＤが付与されると、当該フォルダに対して施したい制御内容及び施した制御内容が適用されるユーザ（グループを含む。）が装置表示部８０を介して作成ユーザに問われることになる。複数のカテゴリからなる制御情報が付与される場合には、カテゴリの異なる制御情報毎に異なるユーザが選択されてもよい（図５参照）。なお、複数のカテゴリからなる制御情報の一例として、前述した第一制御情報、第二制御情報、・・・、第ｎ制御情報を挙げることができる。付与される制御情報としては、「構成」で説明したあらゆる制御情報を挙げることができる。
【００６６】
制御情報が付与された制御対象フォルダ５００が生成されるときには、暗号化部４０から提供される暗号化鍵によって制御対象フォルダ５００が暗号化されることになる。このとき、制御対象フォルダ５００内の電子ファイル５１０又は下位フォルダ５２０も暗号化されるが、制御対象フォルダ５００、制御対象フォルダ５００内の電子ファイル５１０及び下位フォルダ５２０を暗号化する際に利用される暗号化鍵は共通したものとなっている。この際、復号化部４５によって、当該暗号化鍵に対応する復号化鍵が作成されることになる。
【００６７】
次に、制御情報、制御情報に対応するユーザ情報、ファイルＩＤ及び復号化鍵を含む管理情報がユーザ端末１００等の情報処理装置から中央処理装置２００に送信される（図４参照）。そして、これら制御情報、制御情報に対応するユーザ情報、ファイルＩＤ及び復号化鍵が中央処理装置２００の中央記憶部２６０で記憶される。
【００６８】
制御情報が付与された制御対象フォルダ５００が生成されると、例えば、電子メールに当該制御対象フォルダ５００が添付されて、作成ユーザから受領ユーザに対して当該電子メールが送信される（図４参照）。なお、制御対象フォルダ５００は電子メール以外にも、ＵＳＢやクラウド等を介して受領ユーザに受け渡されてもよい。
【００６９】
当該電子メールを受信した受領ユーザは、制御用アプリケーション５９０によって制御対象フォルダ５００を開く。この際、制御対象フォルダ５００を開くときにはフォルダＩＤが受領ユーザのユーザ端末１００で読み出され、また受領ユーザのユーザ端末１００が中央処理装置２００にアクセスすることになる。
【００７０】
受領ユーザが中央処理装置２００にアクセスすることで、フォルダＩＤに紐づけられたユーザ情報と、ユーザ端末情報又は電子メールのアドレス等のユーザＩＤとが照合され、これらが合致した場合には復号化鍵が受領ユーザのユーザ端末１００に対して付与される（図４参照）。そして、当該ユーザ端末１００で、当該復号化鍵を用いて制御対象フォルダ５００が復号されることになる。なお、制御対象フォルダ５００と、制御対象フォルダ５００内の電子ファイル５１０又は下位フォルダ５２０を復号化するときに用いる復号化鍵は共通したものである。
【００７１】
復号化された制御対象フォルダ５００には制御情報に基づく制限がかかっており、受領ユーザに対応した制御情報に基づいて、受領ユーザは制御対象フォルダ５００と当該制御対象フォルダ５００内の電子ファイル５１０又は下位フォルダ５２０について閲覧、編集等の処理を行うことができる。
【００７２】
なお、制御情報は作成ユーザによって自在に変更ことができ、例えば編集権限の与えられていた受領ユーザによる編集処理が終了した場合には、当該受領ユーザによる電子ファイル５１０の編集が終了した時点で当該受領ユーザに対する編集権限付与を停止させ、閲覧のみを許可するようにしてもよい。
【００７３】
《作用・効果》
次に、上述した構成又は方法によって得られる作用・効果であって、未だ説明していないものを中心に説明する。なお、「作用・効果」で述べるあらゆる構成は、本実施の形態の構成として利用することができる。
【００７４】
対象となるフォルダの操作又は当該フォルダ内の電子ファイル５１０もしくは下位フォルダ５２０の操作を制御するための制御情報と当該制御情報に対応するユーザ情報が付与される態様を採用した場合には、フォルダに対する操作、及びフォルダ内に含まれる電子ファイル５１０、下位フォルダ５２０等の情報に対する操作について、ユーザ（グループを含む。）毎に一括で制御情報を付与できる点で有益である。
【００７５】
また本態様では、ＺＩＰ、ＴＡＲ、ＣＡＢ等のように既にアーカイブされたフォルダに対して制御情報と当該制御情報に対応するユーザ情報とを付与することもできる。また既にアーカイブされたフォルダを暗号化鍵を用いて暗号化することもできる。
【００７６】
電子ファイル５１０又は下位フォルダ５２０を制御対象フォルダ５００から取り出すことができないような制御情報を付与できる態様を採用した場合には、制御対象フォルダ５００内から電子ファイル５１０、下位フォルダ５２０等の情報が取り出されることを防止できる点で有益である。
【００７７】
制御対象フォルダ５００内で、新たな電子ファイル５１０もしくは下位フォルダ５２０を作成できない、又は新たな電子ファイル５１０もしくは下位フォルダ５２０を追加できないような制御情報を付与できる態様を採用した場合には、制限対象フォルダ５００内に新たな情報が追加されることを防止するよう制御できる点で有益である。
【００７８】
制御対象フォルダ５００内の電子ファイル５１０又は下位フォルダ５２０が、その名称を変えることはできないような制御情報を付与できる態様が採用された場合には、制御対象フォルダ５００内の電子ファイル５１０、下位フォルダ５２０等の名称が変わってしまうことを防止するよう制御できる点で有益である。
【００７９】
制御対象フォルダ５００内の電子ファイル５１０又は下位フォルダ５２０は削除できないような制御情報を付与できる態様を採用した場合には、制御対象フォルダ５００から電子ファイル５１０、下位フォルダ５２０等の情報が削除されることを防止するよう制御できる点で有益である。
【００８０】
制御対象フォルダ５００内の電子ファイル５１０又は下位フォルダ５２０をコピーできないような制御情報を付与できる態様を採用した場合には、制御対象フォルダ５００内の情報がコピーされないように制御できる点で有益である。
【００８１】
制御情報付与部１０が、制御対象フォルダ５００内の電子ファイル５１０又は下位フォルダ５２０に対して個別に制御情報を付与可能となる態様を採用した場合には、同じ制御対象フォルダ５００内の情報であっても、その内容に応じて制御態様を適宜変えることができる点で有益である。なお、この態様を採用する場合には、制御対象フォルダ５００内の電子ファイル５１０又は下位フォルダ５２０を選択し、選択した電子ファイル５１０又は下位フォルダ５２０に対して制御情報と当該制御情報に対応するユーザ情報を作成ユーザが操作部９０を介して入力するようにしてもよい。
【００８２】
ユーザ選択部３０で選択されたユーザに関連付けられた装置表示部８０等の表示部のみで制御対象フォルダ５００内の電子ファイル５１０又は下位フォルダ５２０を表示させるような制御情報を付与できる態様を採用した場合には、制御対象フォルダ５００内の情報を見ること自体を一定の者に制限できる点で有益である。前述したように制御対象フォルダ５００内の電子ファイル５１０又は下位フォルダ５２０に対して個別に制御情報を付与できる態様を採用した場合には、同じ制御対象フォルダ５００内の情報であっても、ユーザ毎、より厳密にはユーザ端末１００毎に異なる内容を表示させることができる点でも有益である。
【００８３】
制御対象フォルダ５００内の電子ファイル５１０又は下位フォルダ５２０は、制御対象フォルダ５００に付された制御情報を引き継いで移動されるようにしてもよい。つまり、電子ファイル５１０又は下位フォルダ５２０が制御対象フォルダ５００から取り出されたとしても、当該電子ファイル５１０又は下位フォルダ５２０には制御対象フォルダ５００に付与された制御情報が引き継がれるようにしてもよい。このような制御情報が付与される態様を採用した場合には、制御対象フォルダ５００から電子ファイル５１０又は下位フォルダ５２０が取り出されたとしても、制御対象フォルダ５００内に存在していた電子ファイル５１０又は下位フォルダ５２０に対して制御することができる点で有益である。
【００８４】
このような態様とは異なり、制御対象フォルダ５００内から取り出される電子ファイル５１０又は下位フォルダ５２０に対して新たな制御情報を付与できるような制御情報が付与されるようにしてもよい。この態様を採用した場合には、制御対象フォルダ５００から取り出される情報に対して新たな制御情報を付与できる点で有益である。なお、このような制御情報は、制御対象フォルダ５００から電子ファイル５１０や下位フォルダ５２０等の情報を取り出す権限を有する受領ユーザに対して設定されることになる。
【００８５】
前述した態様において、制御対象フォルダ５００内から電子ファイル５１０又は下位フォルダ５２０を取り出す際に操作部９０等による新たな制御情報の入力を許可し、その旨が装置表示部８０等の表示部で表示されるような態様を採用した場合には、制御対象フォルダ５００から取り出すタイミングで制御情報を付与できることをユーザ等の操作者が認識できる点で有益である。
【００８６】
制御対象フォルダ５００内の電子ファイル５１０又は下位フォルダ５２０が、共通した暗号化鍵及び復号化鍵を用いて制御される態様を採用した場合には、制御対象フォルダ５００内の電子ファイル５１０同士について、外部参照のようなデータリンクを実現できる点で有益である。つまり、電子ファイル５１０が個別に暗号化される場合には、電子ファイル５１０内でデータリンクが設けられたとしても、データリンク先が暗号化されていることから当該データリンク先の電子ファイル５１０を開けることができず、データリンクを実現できない。他方、前述したように、制御対象フォルダ５００内の電子ファイル５１０を共通した暗号化鍵及び復号化鍵を用いて制御することで、制御対象フォルダ５００内の電子ファイル５１０同士は暗号化されていても復号化鍵を用いて互いを開けることができることから、データリンクを実現できることになる。この態様の一例としては、同じ制御対象フォルダ５００内に入れられたエクセル（登録商標）におけるリンク設定を挙げることができる。また、このように共通した暗号化鍵及び復号化鍵を用いることで、同じ制御対象フォルダ５００内に入れられたＣＡＤ（登録商標）における部品情報同士の相互参照を行うこともできる。
【００８７】
制御対象フォルダ５００内に実行可能ファイルが含まれる場合又は制御対象フォルダ５００内の電子ファイルがマクロ情報を含む場合に、当該実行可能ファイル又はマクロ情報を含む電子ファイルに対して制御情報を付与するか否かが選択可能となる態様を採用した場合には、作成ユーザにおいて、制御情報を付与するかどうかを適宜選択できる点で有益である。
【００８８】
第２の実施の形態
次に、本発明の第２の実施の形態について説明する。
【００８９】
本実施の形態では、制御対象フォルダ５００又は制御対象フォルダ５００内の電子ファイル５１０もしくは下位フォルダ５２０に対する管理権限を、制御対象フォルダ５００を受け取った者に移譲するように制御できる態様となっている。本実施の形態では、第１の実施の形態で説明したあらゆる態様を本実施の形態で採用することができる。第１の実施の形態と同一の物については同じ符号を付して説明する。
【００９０】
制御対象フォルダ５００を受け取った者としては、例えば電子メール、ＵＳＢ、クラウド等を介して制御対象フォルダ５００を受け取った受領ユーザを挙げることができる。本態様を採用する場合には、制御対象フォルダ５００を受け取った受領ユーザが制御用アプリケーション５９０によって制御対象フォルダ５００を開くことで、当該受領ユーザが、制御対象フォルダ５００又は制御対象フォルダ５００内の電子ファイル５１０もしくは下位フォルダ５２０に対して作成ユーザと同様に自在に処理することができるようになり、また新たな制御情報を自在に設定することもできるようになる。
【００９１】
本実施の形態のように、制御情報付与部１０が制御対象フォルダ５００又は制御対象フォルダ５００内の電子ファイル５１０、下位フォルダ５２０等の情報に対する管理権限を、制御対象フォルダ５００を受け取った者に移譲するように制御できる態様を採用することで、制御対象フォルダ５００を受け取った者が、制御対象フォルダ５００に対する新たな管理権限者として振る舞うことができる点で有益である。
【００９２】
管理権限を移譲する受領ユーザ（ユーザ端末１００）としては、１つだけと限定してもよいし、予め定められた数の受領ユーザ（ユーザ端末１００）に対して管理権限が移譲できるようにしてもよい。
【００９３】
また、このように管理権限を移譲するかどうかについては制御情報に含まれてもよい。この場合には、管理権限が移譲される受領ユーザが暗号化された制御対象フォルダ５００を復号化した時点で、当該制御対象フォルダ５００に対する管理権限が作成ユーザから受領ユーザに移るようにしてもよい。またこの場合においても、作成ユーザによる管理権限は失われなくてよく、作成ユーザと受領ユーザの双方が対象となっている制御対象フォルダ５００に対する管理権限を有してもよい。当然ながら、このような態様とは異なり、管理権限が作成ユーザから受領ユーザに完全に移るようにしてもよい。
【００９４】
第３の実施の形態
次に、本発明の第３の実施の形態について説明する。
【００９５】
第１の実施の形態及び第２の実施の形態では、電子メールのアドレス又はユーザ端末情報等のユーザＩＤと中央記憶部２６０に記憶されたユーザ情報との照合を行う態様を用いて説明したが、本実施の形態では、中央処理装置２００が操作部９０等から入力されるパスワード等のユーザ識別情報によってユーザの識別を行うようになっている（図６参照）。本実施の形態では、第１の実施の形態及び第２の実施の形態で説明したあらゆる態様を本実施の形態で採用することができる。第１の実施の形態及び第２の実施の形態と同一の物については同じ符号を付して説明する。
【００９６】
本実施の形態では、アクセスする受領ユーザに対してユーザ識別情報の入力を促し、適切なユーザ識別情報が入力された場合に、適切な受領ユーザであると判断するようになってもよい。このような態様を採用することで、仮に受領ユーザのユーザ端末（情報処理装置）１００が第三者によって開かれたとしても、当該第三者がユーザ識別情報を知らない限り制御対象フォルダ５００内の情報にアクセスすることができなくなる点でセキュリティを上げることができる点で有益である。なお、ユーザ識別情報としては、指紋や網膜等の生体認証情報が用いられてもよい。この態様を採用した場合には、予め登録された生体認証情報を有する者のみが復号化鍵を取得できることから、より高いセキュリティを実現できる。
【００９７】
本実施の形態では、電子メールのアドレス又はユーザ端末情報によって中央記憶部２６０に記憶されたユーザ情報との照合を行いつつ、ユーザ識別情報も用いて受領ユーザの識別を行うようになってもよい。このような態様を採用した場合には、さらにセキュリティを高めることができる点で有益である。
【００９８】
第４の実施の形態
次に、本発明の第４の実施の形態について説明する。
【００９９】
上記各実施の形態では、ユーザ端末１００が情報処理装置である態様を用いて説明したが、本実施の形態では、ファイル共有サーバ３００が情報処理装置となっている。本実施の形態では、上記各実施の形態で説明したあらゆる態様を本実施の形態で採用することができる。上記各実施の形態と同一の物については同じ符号を付して説明する。
【０１００】
図７に示すように、本実施の形態のファイル共有サーバ３００は、フォルダを識別する対象識別部２０と、作成ユーザのユーザ端末１００の操作部９０からの入力を受けて、フォルダの操作、又はフォルダ内の電子ファイル５１０もしくは下位フォルダ５２０の操作を制御するための制御情報を付与する制御情報付与部１０と、制御情報に基づく制御が適用されるユーザに関するユーザ情報を選択するユーザ選択部３０と、を有してもよい。
【０１０１】
ファイル共有サーバ３００は、制御対象フォルダ５００又は制御対象フォルダ５００内の電子ファイル５１０もしくは下位フォルダ５２０を暗号化する暗号化鍵を作成する暗号化部４０と、暗号化鍵によって暗号化された制御対象フォルダ５００又は制御対象フォルダ５００内の電子ファイル５１０もしくは下位フォルダ５２０を復号化するための復号化鍵を作成する復号化部４５と、を有してもよい。
【０１０２】
ファイル共有サーバ３００は、様々な情報を記憶する共有サーバ記憶部３６０と、ファイル共有サーバ３００を制御する共有サーバ制御部３５０と、を有してもよい。図７に示すように、共有サーバ制御部３５０に、前述した対象識別部２０、制御情報付与部１０、ユーザ選択部３０、暗号化部４０及び復号化部４５が含まれてもよい。
【０１０３】
本実施の形態では、ユーザ端末１００で行われていた処理の一部がファイル共有サーバ３００で行われるだけであり、前述した各実施の形態で説明したあらゆる態様を採用することができ、その作用効果を得ることもできる。
【０１０４】
なお、ファイル共有サーバ３００は作成ユーザが所属する会社と同一の会社又はその関連会社で共有して用いられるだけではなく、作成ユーザが所属する会社とは何ら資本関係のない会社と共有して用いられてもよい。
【０１０５】
上述した各実施の形態の記載及び図面の開示は、特許請求の範囲に記載された発明を説明するための一例に過ぎず、上述した実施の形態の記載又は図面の開示によって特許請求の範囲に記載された発明が限定されることはない。出願当初の特許請求の範囲の記載は本件特許明細書の範囲内で適宜変更することもでき、その範囲を拡張することもできる。
【０１０６】
上記各実施の形態の対象識別部２０、制御情報付与部１０、ユーザ選択部３０、暗号化部４０、復号化部４５等を含む各構成要素は、ＩＣチップ、ＬＳＩ等の集積回路等に形成された論理回路（ハードウェア）や専用回路によって実現してもよいし、ＣＰＵ、メモリ等を用いてソフトウェアによって実現してもよい。また、各構成要素は、１又は複数の集積回路により実現されてよく、複数の構成要素が１つの集積回路によって実現されてもよい。
【符号の説明】
【０１０７】
１０      制御情報付与部
２０      対象識別部
３０      ユーザ選択部
４０      暗号化部
４５      復号化部
１００    ユーザ端末（情報処理装置）
３００    ファイル共有サーバ（情報処理装置）
５００    制御対象フォルダ
５１０    電子ファイル
５２０    下位フォルダ
【図１】
2019036236.tif 000003
【図２】
2019036236.tif 000004
【図３】
2019036236.tif 000005
【図４】
2019036236.tif 000006
【図５】
2019036236.tif 000007
【図６】
2019036236.tif 000008
【図７】
2019036236.tif 000009